(57)【要約】【課題】メッシュポイントまたはメッシュアクセスポイントの設定を簡易に行う。【解決手段】無線通信装置２６は、ＩＥＥＥ８０２．１１ｓ規格に準拠した無線通信を、メッシュポータル１２、１４との間で行う。無線通信装置２６は、メッシュポータル１２、１４のＭＡＣアドレスを、メッシュポータル１２、１４から受信するＭＡＣアドレス受信部２６ａと、メッシュポータル１２、１４と無線通信装置２６との間のメトリックに対応付けて、受信したＭＡＣアドレスを記録するＭＡＣアドレス記録部２６ｂと、ＭＡＣアドレス記録部２６ｂの記録内容に基づき、より小さいメトリックに対応付けられたＭＡＣアドレスを有するメッシュポータル１２、１４に対して優先的にＩＰアドレスの照会を行うＩＰアドレス照会部２６ｃと、照会の結果、メッシュポータル１２、１４から送信されたＩＰアドレスを記録するＩＰアドレス記録部２６ｅとを備える。【選択図】図２
2019087914.tif 000002
【特許請求の範囲】
【請求項１】
ＩＥＥＥ８０２．１１ｓ規格に準拠した無線通信を、メッシュポータルとの間で行う無線通信装置であって、
前記メッシュポータルのＭＡＣアドレスを、前記メッシュポータルから受信するＭＡＣアドレス受信部と、
前記メッシュポータルと前記無線通信装置との間のメトリックに対応付けて、受信した前記ＭＡＣアドレスを記録するＭＡＣアドレス記録部と、
前記ＭＡＣアドレス記録部の記録内容に基づき、より小さい前記メトリックに対応付けられた前記ＭＡＣアドレスを有する前記メッシュポータルに対して優先的にＩＰアドレスの照会を行うＩＰアドレス照会部と、
前記照会の結果、前記メッシュポータルから送信された前記ＩＰアドレスを記録するＩＰアドレス記録部と、
を備えた無線通信装置。
【請求項２】
請求項１に記載の無線通信装置であって、
前記ＭＡＣアドレス受信部が、前記メッシュポータルからBroadcast RANNにより送信された前記ＭＡＣアドレスを受信する、
無線通信装置。
【請求項３】
請求項１に記載の無線通信装置であって、
前記ＩＰアドレス照会部が、mDNSに基づく照会を行う、
無線通信装置。
【請求項４】
請求項１ないし３のいずれか一項に記載の無線通信装置であって、
クローズドメッシュによる無線通信を行うためのグループＩＤおよびパスワードを、オープンメッシュを介して、前記メッシュポータルに対して要求するクローズドメッシュ情報要求部と、
前記メッシュポータルから、前記オープンメッシュを介して、暗号化された前記グループＩＤおよび暗号化された前記パスワードを受信するクローズドメッシュ情報受信部と、
暗号化された前記グループＩＤおよび暗号化された前記パスワードを復号化したものを記録するクローズドメッシュ情報記録部と、
を備え、
前記クローズドメッシュ情報要求部による要求は暗号化されている、
無線通信装置。
【請求項５】
請求項４に記載の無線通信装置であって、
前記暗号化は、HTTPSに基づくものである、
無線通信装置。
【請求項６】
請求項４または５に記載の無線通信装置であって、
無線ＬＡＮアクセスポイントの識別名を記録した記録装置から、前記クローズドメッシュを介して、前記識別名を受信する識別名受信部を備え、
前記記録装置が、前記メッシュポータルと、有線ネットワークを介して接続されており、
前記クローズドメッシュを利用した無線通信が、前記クローズドメッシュ情報記録部に記録された前記グループIDおよび前記パスワードを用いて行われる、
無線通信装置。
【請求項７】
ＩＥＥＥ８０２．１１ｓ規格に準拠した無線通信を、メッシュポータルとの間で行う無線通信装置による無線通信方法であって、
前記メッシュポータルのＭＡＣアドレスを、前記メッシュポータルから受信するＭＡＣアドレス受信工程と、
前記メッシュポータルと前記無線通信装置との間のメトリックに対応付けて、受信した前記ＭＡＣアドレスを記録するＭＡＣアドレス記録工程と、
前記ＭＡＣアドレス記録工程の記録内容に基づき、より小さい前記メトリックに対応付けられた前記ＭＡＣアドレスを有する前記メッシュポータルに対して優先的にＩＰアドレスの照会を行うＩＰアドレス照会工程と、
前記照会の結果、前記メッシュポータルから送信された前記ＩＰアドレスを記録するＩＰアドレス記録工程と、
を備えた無線通信方法。
【発明の詳細な説明】
【技術分野】
【０００１】
本発明は、メッシュネットワークにおけるメッシュポイントおよびメッシュアクセスポイントの設定に関する。
【背景技術】
【０００２】
従来より、メッシュポータル、メッシュポイントおよびメッシュアクセスポイントを有するメッシュネットワークが知られている（例えば、特許文献１を参照）。
【０００３】
メッシュポイントおよびメッシュアクセスポイントをメッシュネットワークの一部として機能させるためには、メッシュポイントおよびメッシュアクセスポイントをメッシュポータルと共に設定する必要がある。
【０００４】
なお、メッシュポイントおよびメッシュアクセスポイントをメッシュポータルと共に設定する際に、メッシュポイントおよびメッシュアクセスポイントとメッシュポータルとの同期をとるために、両者のボタンを同時に操作するといった作業が必要な場合もある。
【先行技術文献】
【特許文献】
【０００５】
【特許文献１】特開２０１１−１２０２５７号公報
【発明の概要】
【発明が解決しようとする課題】
【０００６】
しかしながら、メッシュポイントおよびメッシュアクセスポイントをメッシュポータルと共に設定することは、設定を行う者にとって煩わしい作業である。
【０００７】
そこで、本発明は、メッシュポイントまたはメッシュアクセスポイントの設定を簡易に行うことを課題とする。
【課題を解決するための手段】
【０００８】
本発明にかかる無線通信装置は、ＩＥＥＥ８０２．１１ｓ規格に準拠した無線通信を、メッシュポータルとの間で行う無線通信装置であって、前記メッシュポータルのＭＡＣアドレスを、前記メッシュポータルから受信するＭＡＣアドレス受信部と、前記メッシュポータルと前記無線通信装置との間のメトリックに対応付けて、受信した前記ＭＡＣアドレスを記録するＭＡＣアドレス記録部と、前記ＭＡＣアドレス記録部の記録内容に基づき、より小さい前記メトリックに対応付けられた前記ＭＡＣアドレスを有する前記メッシュポータルに対して優先的にＩＰアドレスの照会を行うＩＰアドレス照会部と、前記照会の結果、前記メッシュポータルから送信された前記ＩＰアドレスを記録するＩＰアドレス記録部とを備えるように構成される。
【０００９】
上記のように構成された無線通信装置は、ＩＥＥＥ８０２．１１ｓ規格に準拠した無線通信を、メッシュポータルとの間で行う。ＭＡＣアドレス受信部は、前記メッシュポータルのＭＡＣアドレスを、前記メッシュポータルから受信する。ＭＡＣアドレス記録部は、前記メッシュポータルと前記無線通信装置との間のメトリックに対応付けて、受信した前記ＭＡＣアドレスを記録する。ＩＰアドレス照会部は、前記ＭＡＣアドレス記録部の記録内容に基づき、より小さい前記メトリックに対応付けられた前記ＭＡＣアドレスを有する前記メッシュポータルに対して優先的にＩＰアドレスの照会を行う。ＩＰアドレス記録部は、前記照会の結果、前記メッシュポータルから送信された前記ＩＰアドレスを記録する。
【００１０】
なお、本発明にかかる無線通信装置は、前記ＭＡＣアドレス受信部が、前記メッシュポータルからBroadcast RANNにより送信された前記ＭＡＣアドレスを受信するようにしてもよい。
【００１１】
なお、本発明にかかる無線通信装置は、前記ＩＰアドレス照会部が、mDNSに基づく照会を行うようにしてもよい。
【００１２】
なお、本発明にかかる無線通信装置は、クローズドメッシュによる無線通信を行うためのグループＩＤおよびパスワードを、オープンメッシュを介して、前記メッシュポータルに対して要求するクローズドメッシュ情報要求部と、前記メッシュポータルから、前記オープンメッシュを介して、暗号化された前記グループＩＤおよび暗号化された前記パスワードを受信するクローズドメッシュ情報受信部と、暗号化された前記グループＩＤおよび暗号化された前記パスワードを復号化したものを記録するクローズドメッシュ情報記録部とを備え、前記クローズドメッシュ情報要求部による要求は暗号化されているようにしてもよい。
【００１３】
なお、本発明にかかる無線通信装置は、前記暗号化は、HTTPSに基づくものであるようにしてもよい。
【００１４】
なお、本発明にかかる無線通信装置は、無線ＬＡＮアクセスポイントの識別名を記録した記録装置から、前記クローズドメッシュを介して、前記識別名を受信する識別名受信部を備え、前記記録装置が、前記メッシュポータルと、有線ネットワークを介して接続されており、前記クローズドメッシュを利用した無線通信が、前記クローズドメッシュ情報記録部に記録された前記グループIDおよび前記パスワードを用いて行われるようにしてもよい。
【００１５】
本発明は、ＩＥＥＥ８０２．１１ｓ規格に準拠した無線通信を、メッシュポータルとの間で行う無線通信装置による無線通信方法であって、前記メッシュポータルのＭＡＣアドレスを、前記メッシュポータルから受信するＭＡＣアドレス受信工程と、前記メッシュポータルと前記無線通信装置との間のメトリックに対応付けて、受信した前記ＭＡＣアドレスを記録するＭＡＣアドレス記録工程と、前記ＭＡＣアドレス記録工程の記録内容に基づき、より小さい前記メトリックに対応付けられた前記ＭＡＣアドレスを有する前記メッシュポータルに対して優先的にＩＰアドレスの照会を行うＩＰアドレス照会工程と、前記照会の結果、前記メッシュポータルから送信された前記ＩＰアドレスを記録するＩＰアドレス記録工程とを備えた無線通信方法である。
【図面の簡単な説明】
【００１６】
【図１】本発明の第一の実施形態にかかる無線通信装置２６が使用される通信ネットワークの構成を示す図である。
【図２】第一の実施形態にかかる無線通信装置２６の構成を示す機能ブロック図である。
【図３】第一の実施形態にかかる無線通信装置２６が、隣接するメッシュアクセスポイント２２ｃ、２４ｂを検出する際の動作を示す図である。
【図４】第一の実施形態にかかる無線通信装置２６が、メッシュポータル１２からBroadcast RANNを受信した際の動作を示す図である。
【図５】第一の実施形態にかかる無線通信装置２６が、メッシュポータル１４からBroadcast RANNを受信した際の動作を示す図である。
【図６】第一の実施形態にかかるＭＡＣアドレス記録部２６ｂの記録内容の一例を示す図である。
【図７】第二の実施形態にかかる無線通信装置２６の構成を示す機能ブロック図である。
【図８】第二の実施形態にかかる無線通信装置２６がメッシュポータル１４との間でオープンメッシュ（ただし、暗号化セッション）による通信を行う際の動作を示す図である。
【図９】第二の実施形態にかかる無線通信装置２６がメッシュポータル１４との間でクローズドメッシュによる無線通信を行う際の動作を示す図である。
【図１０】第三の実施形態にかかる無線通信装置２６の構成を示す機能ブロック図である。
【図１１】第三の実施形態にかかる無線通信装置２６がメッシュアクセスポイントとして機能する際の動作を示す図である。
【発明を実施するための形態】
【００１７】
以下、本発明の実施形態を図面を参照しながら説明する。
【００１８】
第一の実施形態
図１は、本発明の第一の実施形態にかかる無線通信装置２６が使用される通信ネットワークの構成を示す図である。
【００１９】
本発明の第一の実施形態にかかる通信ネットワークは、メッシュポータル（ＭＰＰ）１２、１４、メッシュアクセスポイント（ＭＡＰ）２２ａ、２２ｂ、２２ｃ、２４ａ、２４ｂ、無線通信装置２６、有線ネットワーク３０、無線ＬＡＮコントローラ４０、通信ケーブル５２、５３、５４を備える。
【００２０】
メッシュポータル（ＭＰＰ：Mesh Portal Point）１２、１４は、ＩＥＥＥ８０２．１１ｓ規格に準拠した無線ＬＡＮメッシュネットワーク通信において、メッシュポイント（無線ＬＡＮメッシュネットワーク機能を実装したもの）に、外部ネットワーク（本実施の形態においては、有線ネットワーク３０）に接続するゲートウェイ機能を実装したものである。
【００２１】
メッシュアクセスポイント（ＭＡＰ：Mesh Access Point）２２ａ、２２ｂ、２２ｃ、２４ａ、２４ｂは、ＩＥＥＥ８０２．１１ｓ規格に準拠した無線ＬＡＮメッシュネットワーク通信において、メッシュポイントに、無線ＬＡＮアクセスポイントの機能を実装したものである。
【００２２】
無線通信装置２６は、ＩＥＥＥ８０２．１１ｓ規格に準拠した無線通信である無線ＬＡＮメッシュネットワーク通信を、メッシュポータル１２、１４との間で行う。
【００２３】
有線ネットワーク３０は、メッシュポータル１２および１４が接続されている有線ネットワーク（例えば、ＬＡＮまたはインターネット）である。
【００２４】
無線ＬＡＮコントローラ４０は、メッシュポータル１２、１４、メッシュアクセスポイント２２ａ、２２ｂ、２２ｃ、２４ａ、２４ｂ、無線通信装置２６を制御するためのコントローラである。無線ＬＡＮコントローラ（記録装置）４０は、メッシュポータル１２、１４と、有線ネットワーク３０を介して接続されている。
【００２５】
通信ケーブル５２は、メッシュポータル１２と有線ネットワーク３０とを接続する。通信ケーブル５３は、無線ＬＡＮコントローラ４０と有線ネットワーク３０とを接続する。通信ケーブル５４は、メッシュポータル１４と有線ネットワーク３０とを接続する。
【００２６】
なお、グループＧ１、Ｇ２は、メッシュネットワークにおけるグループである。各グループに属するメッシュポータルおよびメッシュアクセスポイントが、オープンメッシュおよびクローズドメッシュ双方により無線通信可能である。
【００２７】
例えば、グループＧ１には、メッシュポータル１２、メッシュアクセスポイント２２ａ、２２ｂ、２２ｃが属しており、これらがオープンメッシュおよびクローズドメッシュ双方により無線通信可能である。また、グループＧ２には、メッシュポータル１４、メッシュアクセスポイント２４ａ、２４ｂが属しており、これらがオープンメッシュおよびクローズドメッシュ双方により無線通信可能である。
【００２８】
図２は、第一の実施形態にかかる無線通信装置２６の構成を示す機能ブロック図である。第一の実施形態にかかる無線通信装置２６は、ＭＡＣアドレス受信部２６ａ、ＭＡＣアドレス記録部２６ｂ、ＩＰアドレス照会部２６ｃ、ＩＰアドレス受信部２６ｄ、ＩＰアドレス記録部２６ｅを備える。
【００２９】
なお、メッシュポータル１４は、ＭＡＣアドレス送信部１４ａ、ＭＡＣ・ＩＰアドレス記録部１４ｂ、ＩＰアドレス読出部１４ｃ、許可リスト記録部１４ｄ、ＩＰアドレス送信部１４ｅを備える。メッシュポータル１２の構成も、メッシュポータル１４と同様である。
【００３０】
ＭＡＣアドレス受信部２６ａは、メッシュポータル１２、１４のＭＡＣアドレスを、メッシュポータル１２、１４から受信する。なお、ＭＡＣアドレス受信部２６ａは、メッシュポータル１２、１４からBroadcast RANNにより送信されたＭＡＣアドレスを受信する。なお、この受信は、オープンメッシュにより行われる。
【００３１】
なお、メッシュポータル１４のＭＡＣ・ＩＰアドレス記録部１４ｂには、メッシュポータル１４のＭＡＣアドレスおよびＩＰアドレスが記録されている。なお、メッシュポータル１４のＩＰアドレスは、例えば、ZeroConfにより自動的に設定するようにしてもよい。ＭＡＣアドレス送信部１４ａは、ＭＡＣ・ＩＰアドレス記録部１４ｂからメッシュポータル１４のＭＡＣアドレスを読み出して、Broadcast RANNにより送信する。
【００３２】
ＭＡＣアドレス記録部２６ｂは、メッシュポータル１２、１４と無線通信装置２６との間のメトリック（図４および図５参照）に対応付けて、受信したＭＡＣアドレスを記録する（図６参照）。
【００３３】
ＩＰアドレス照会部２６ｃは、ＭＡＣアドレス記録部２６ｂの記録内容に基づき、より少ないメトリックに対応付けられたＭＡＣアドレスを有するメッシュポータル１２、１４に対して優先的にＩＰアドレスの照会を行う。なお、ＩＰアドレス照会部２６ｃは、mDNSに基づいてＩＰアドレスの照会を行う。なお、この照会は、オープンメッシュにより行われる。
【００３４】
第一の実施形態においては、メッシュポータル１４と無線通信装置２６との間のメトリックの方が、メッシュポータル１２と無線通信装置２６との間のメトリックよりも小さい。よって、ＩＰアドレス照会部２６ｃは、メッシュポータル１４に対してＩＰアドレスの照会を行う。ただし、何らかの事情で（例えば、許可リスト記録部１４ｄに記録されているリストに、メッシュポータル１４のＭＡＣアドレスが記載されていない場合）、メッシュポータル１４が照会を拒否した場合は、ＩＰアドレス照会部２６ｃは、メッシュポータル１２に照会を行う。
【００３５】
メッシュポータル１４のＩＰアドレス読出部１４ｃは、ＩＰアドレス照会部２６ｃによるＩＰアドレスの照会を受け、ＭＡＣ・ＩＰアドレス記録部１４ｂからメッシュポータル１４のＩＰアドレスを読み出す（ただし、許可リスト記録部１４ｄに記録されているリストに記載されている通信装置からの照会に限る）。なお、許可リスト記録部１４ｄに記録されているリストには、ＩＰアドレスの照会を許可する通信装置の識別情報（例えば、ＭＡＣアドレス）が記載されている。このリストは、無線ＬＡＮコントローラ４０から受信するようにしてもよい。
【００３６】
メッシュポータル１４のＩＰアドレス読出部１４ｃは、読み出したメッシュポータル１４のＩＰアドレスをＩＰアドレス送信部１４ｅに与える。ＩＰアドレス送信部１４ｅは、オープンメッシュを介して、ＩＰアドレス受信部２６ｄに、メッシュポータル１４のＩＰアドレスを送信する。
【００３７】
ＩＰアドレス記録部２６ｅは、ＩＰアドレス照会部２６ｃによる照会の結果、メッシュポータル１４から送信されたメッシュポータル１４のＩＰアドレスを、ＩＰアドレス受信部２６ｄから受けて記録する。
【００３８】
次に、第一の実施形態の動作を説明する。
【００３９】
図３は、第一の実施形態にかかる無線通信装置２６が、隣接するメッシュアクセスポイント２２ｃ、２４ｂを検出する際の動作を示す図である。
【００４０】
メッシュポータル（ＭＰＰ）１２、１４およびメッシュアクセスポイント（ＭＡＰ）２２ａ、２２ｂ、２２ｃ、２４ａ、２４ｂからは、所定の強度の電波が送信されている。無線通信装置２６が、この電波を、ある閾値以上の強さで受信できた場合、無線通信装置２６と、電波の送信元のメッシュポータルまたはメッシュアクセスポイントとが隣接しているという。
【００４１】
図３の例では、無線通信装置２６が、メッシュアクセスポイント２２ｃおよび２４ｂから、ある閾値以上の強さで電波を受信できたので、メッシュアクセスポイント２２ｃおよび２４ｂと隣接していることが検出できる。なお、この電波の受信は、オープンメッシュを介して行われる。
【００４２】
図４は、第一の実施形態にかかる無線通信装置２６が、メッシュポータル１２からBroadcast RANNを受信した際の動作を示す図である。
【００４３】
ＭＡＣアドレス受信部２６ａは、メッシュポータル１２からBroadcast RANNにより送信されたＭＡＣアドレスを受信する。このとき、メッシュポータル１２と無線通信装置２６とのメトリックの測定も行われ、メッシュポータル１２のＭＡＣアドレスに対応づけて、ＭＡＣアドレス記録部２６ｂに記録される（図６参照）。
【００４４】
図４の例では、メッシュポータル１２と無線通信装置２６とのメトリックは、メッシュポータル１２とメッシュアクセスポイント２２ｂとの間のメトリック（＝１０００）と、メッシュアクセスポイント２２ｂとメッシュアクセスポイント２２ｃとの間のメトリック（＝１０００）と、メッシュアクセスポイント２２ｃと無線通信装置２６との間のメトリック（＝１０００）との合計の３０００である。
【００４５】
なお、メトリックは周知の概念であり、通信速度およびエラーレートなどにより決定される。メトリックは、通信速度が速いほど小さく、エラーレートが大きいほど大きくなる。
【００４６】
図５は、第一の実施形態にかかる無線通信装置２６が、メッシュポータル１４からBroadcast RANNを受信した際の動作を示す図である。
【００４７】
ＭＡＣアドレス受信部２６ａは、メッシュポータル１４からBroadcast RANNにより送信されたＭＡＣアドレスを受信する。このとき、メッシュポータル１４と無線通信装置２６とのメトリックの測定も行われ、メッシュポータル１４のＭＡＣアドレスに対応づけて、ＭＡＣアドレス記録部２６ｂに記録される（図６参照）。
【００４８】
図５の例では、メッシュポータル１４と無線通信装置２６とのメトリックは、メッシュポータル１４とメッシュアクセスポイント２４ｂとの間のメトリック（＝８００）と、メッシュアクセスポイント２４ｂと無線通信装置２６との間のメトリック（＝１５００）との合計の２３００である。
【００４９】
図６は、第一の実施形態にかかるＭＡＣアドレス記録部２６ｂの記録内容の一例を示す図である。メッシュポータル１４のＭＡＣアドレスに対応づけられたメトリックの方が、メッシュポータル１２のＭＡＣアドレスに対応づけられたメトリックよりも小さい。
【００５０】
そこで、ＩＰアドレス照会部２６ｃによるｍＤＮＳによりメッシュポータル１４のＩＰアドレスの照会を行い、その結果、メッシュポータル１４からＩＰアドレスが送信される。このＩＰアドレスが、ＩＰアドレス受信部２６ｄにより受信され、ＩＰアドレス記録部２６ｅに記録される。
【００５１】
このようにして取得したメッシュポータル１４のＩＰアドレスおよびＭＡＣアドレスを使用して、メッシュポータル１４と無線通信装置２６との間で、オープンメッシュによる無線通信を行うことができる。
【００５２】
第一の実施形態によれば、無線通信装置２６をオープンメッシュによる無線通信を行うメッシュポイントとして機能させるための設定を簡易に（すなわち、自動的に）行うことができる。
【００５３】
第二の実施形態
第二の実施形態にかかる無線通信装置２６は、無線通信装置２６をクローズドメッシュによる無線通信を行う点が、オープンメッシュによる無線通信を行う第一の実施形態と異なる。
【００５４】
本発明の第二の実施形態にかかる無線通信装置２６が使用される通信ネットワークの構成は、第一の実施形態と同様であるので、説明を省略する（図１参照）。
【００５５】
図７は、第二の実施形態にかかる無線通信装置２６の構成を示す機能ブロック図である。第二の実施形態にかかる無線通信装置２６は、第一の実施形態にかかる無線通信装置２６の各構成要素に加えて、クローズドメッシュ情報要求部２６ｆ、クローズドメッシュ情報受信部２６ｇ、クローズドメッシュ情報記録部２６ｈを備える。
【００５６】
ただし、図７においては、ＭＡＣアドレス受信部２６ａ、ＩＰアドレス照会部２６ｃおよびＩＰアドレス受信部２６ｄを図示省略する。
【００５７】
また、メッシュポータル１４は、第一の実施形態にかかるメッシュポータル１４の各構成要素（図示省略）に加えて、クローズドメッシュ情報読出部１４ｆ、クローズドメッシュ情報記録部１４ｇ、クローズドメッシュ情報送信部１４ｈを備える。
【００５８】
クローズドメッシュ情報要求部２６ｆは、クローズドメッシュによる無線通信を行うための情報（グループＩＤおよびパスワード）（ただし、無線ＬＡＮコントローラ４０のＩＰアドレスおよびポート番号をさらに含んでいてもよい）を、オープンメッシュを介して、メッシュポータル１４に対して要求する。クローズドメッシュ情報要求部２６ｆによる要求は、クローズドメッシュ情報要求部２６ｆにより暗号化されている。この暗号化は、HTTPSに基づくものである。
【００５９】
なお、クローズドメッシュ情報要求部２６ｆは、メッシュポータル１４のＭＡＣアドレスをＭＡＣアドレス記録部２６ｂから、メッシュポータル１４のＩＰアドレスをＩＰアドレス記録部２６ｅから読み出して、メッシュポータル１４への要求の送信を行う。
【００６０】
メッシュポータル１４のクローズドメッシュ情報読出部１４ｆは、クローズドメッシュ情報記録部１４ｇに記録されたクローズドメッシュによる無線通信を行うための情報（以下、「クローズドメッシュ情報」ということがある）を読み出して、クローズドメッシュ情報送信部１４ｈに与える。クローズドメッシュ情報送信部１４ｈは、クローズドメッシュ情報を暗号化して、無線通信装置２６に送信する。
【００６１】
クローズドメッシュ情報受信部２６ｇは、メッシュポータル１４から、オープンメッシュを介して、暗号化されたクローズドメッシュ情報（暗号化されたグループＩＤおよび暗号化されたパスワードを含む）を受信する。クローズドメッシュ情報受信部２６ｇは、暗号化されたクローズドメッシュ情報を復号化する。
【００６２】
クローズドメッシュ情報記録部２６ｈは、暗号化されたクローズドメッシュ情報（暗号化されたグループＩＤおよび暗号化されたパスワードを含む）を復号化したものを、クローズドメッシュ情報受信部２６ｇから受けて記録する。
【００６３】
次に、第二の実施形態の動作を説明する。
【００６４】
すでに、第一の実施形態において説明したように、無線通信装置２６は、オープンメッシュによる無線通信を行うメッシュポイントとして機能している。
【００６５】
図８は、第二の実施形態にかかる無線通信装置２６がメッシュポータル１４との間でオープンメッシュ（ただし、暗号化セッション）による通信を行う際の動作を示す図である。
【００６６】
クローズドメッシュ情報要求部２６ｆが、クローズドメッシュ情報をメッシュポータル１４に要求すると、メッシュポータル１４からクローズドメッシュ情報が送信され、クローズドメッシュ情報受信部２６ｇにより受信される。クローズドメッシュ情報受信部２６ｇにより、クローズドメッシュ情報は復号化され、クローズドメッシュ情報記録部２６ｈに記録される。
【００６７】
なお、このように暗号化セッションによる通信が行われているので、クローズドメッシュ情報などの内容が外部に漏洩することを防止できる。
【００６８】
図９は、第二の実施形態にかかる無線通信装置２６がメッシュポータル１４との間でクローズドメッシュによる無線通信を行う際の動作を示す図である。
【００６９】
クローズドメッシュ情報記録部２６ｈに記録されたクローズドメッシュ情報（グループＩＤおよびパスワード）（ただし、無線ＬＡＮコントローラのＩＰアドレスおよびポート番号をさらに含んでいてもよい）を使用して、メッシュポータル１４と無線通信装置２６との間で、クローズドメッシュによる無線通信を行うことができる。
【００７０】
これにより、無線通信装置２６は、グループＧ２に所属し、グループＧ２に所属する他の通信機器（メッシュポータル１４およびメッシュアクセスポイント２４ａ、２４ｂ）とオープンメッシュおよびクローズドメッシュによる無線通信を行うことができる。
【００７１】
第二の実施形態によれば、無線通信装置２６をクローズドメッシュによる無線通信を行うメッシュポイントとして機能させるための設定を簡易に（すなわち、自動的に）行うことができる。
【００７２】
第三の実施形態
第三の実施形態にかかる無線通信装置２６は、無線通信装置２６がメッシュアクセスポイントとして機能する点が、無線通信装置２６がメッシュポイントとして機能する第一および第二の実施形態と異なる。
【００７３】
本発明の第三の実施形態にかかる無線通信装置２６が使用される通信ネットワークの構成は、第一の実施形態と同様であるので、説明を省略する（図１参照）。
【００７４】
図１０は、第三の実施形態にかかる無線通信装置２６の構成を示す機能ブロック図である。第三の実施形態にかかる無線通信装置２６は、第一および第二の実施形態にかかる無線通信装置２６の各構成要素に加えて、クローズドメッシュ接続要求部２６ｊ、無線設定情報要求部２６ｋ、無線設定情報受信部２６ｍ、無線設定情報記録部２６ｎを備える。ただし、図１０においては、ＭＡＣアドレス受信部２６ａ、ＩＰアドレス照会部２６ｃ、ＩＰアドレス受信部２６ｄ、クローズドメッシュ情報要求部２６ｆおよびクローズドメッシュ情報受信部２６ｇを図示省略する。
【００７５】
また、メッシュポータル１４は、第二の実施形態にかかるメッシュポータル１４の各構成要素（図示省略）に加えて、クローズドメッシュ接続受理部１４ｊ、情報中継部１４ｈを備える。
【００７６】
クローズドメッシュ接続要求部２６ｊは、ＭＡＣアドレス記録部２６ｂからメッシュポータル１４のＭＡＣアドレスを、ＩＰアドレス記録部２６ｅからメッシュポータル１４のＩＰアドレスを、クローズドメッシュ情報記録部２６ｈからはクローズドメッシュのグループＩＤおよびパスワードを読み出して、メッシュポータル１４へ、クローズドメッシュによる接続を要求する。
【００７７】
メッシュポータル１４のクローズドメッシュ接続受理部１４ｊは、クローズドメッシュによる接続の要求を無線通信装置２６から受けて許可し、許可した旨を情報中継部１４ｈに与える。情報中継部１４ｈは、この許可を受け、無線通信装置２６と無線ＬＡＮコントローラ４０との間の通信を中継する。
【００７８】
無線設定情報要求部２６ｋは、クローズドメッシュ情報記録部２６ｈから無線ＬＡＮコントローラ４０のＩＰアドレスおよびポート番号を読み出し、さらに有線ネットワーク３０に接続されたＤＨＣＰサーバ（図示省略）から無線通信装置２６のＩＰアドレスを受けて、クローズドメッシュを介して、無線ＬＡＮコントローラ４０に、無線設定情報を要求する。
【００７９】
この無線設定情報の要求は、情報中継部１４ｈを介して、無線ＬＡＮコントローラ４０に与えられる。ただし、無線設定情報とは、無線通信装置２６をメッシュアクセスポイントとして機能させるために無線通信装置２６を設定する際に必要な情報である。無線設定情報は、少なくとも、無線ＬＡＮアクセスポイントの識別名（ＳＳＩＤ）を含むが、さらに、パスワード、暗号化形式（例えば、ＡＥＳ）、利用チャネル、利用帯域および信号レベル（％）を含んでいてもよい。
【００８０】
なお、クローズドメッシュを利用した無線通信（図９参照）が、クローズドメッシュ情報記録部２６ｈに記録されたグループIDおよびパスワードを用いて行われる。
【００８１】
無線ＬＡＮコントローラ（記録装置）４０は、無線設定情報記録部４０ａ、情報読出部４０ｂを備える。無線設定情報記録部４０ａは、無線設定情報（少なくとも、無線ＬＡＮアクセスポイントの識別名（ＳＳＩＤ）を含む）を記録する。情報読出部４０ｂは、情報中継部１４ｈを介して、無線設定情報要求部２６ｋからの無線設定情報の要求を受信すると、無線設定情報記録部４０ａから無線設定情報を読み出し、中継部１４ｈを介して、無線設定情報受信部２６ｍに送信する。
【００８２】
無線設定情報受信部（識別名受信部）２６ｍは、無線ＬＡＮコントローラ４０から、中継部１４ｈおよびクローズドメッシュを介して、無線設定情報（少なくとも、無線ＬＡＮアクセスポイントの識別名（ＳＳＩＤ）を含む）を受信する。受信された無線設定情報は、無線設定情報記録部２６ｎに記録される。
【００８３】
無線通信装置２６は、無線設定情報記録部２６ｎに記録された無線設定情報を用いて、メッシュアクセスポイントとして機能する。
【００８４】
次に、第三の実施形態の動作を説明する。
【００８５】
すでに、第二の実施形態において説明したように、無線通信装置２６は、クローズドメッシュによる無線通信を行うメッシュポイントとして機能している。
【００８６】
図１１は、第三の実施形態にかかる無線通信装置２６がメッシュアクセスポイントとして機能する際の動作を示す図である。
【００８７】
無線通信装置２６は、クローズドメッシュ、メッシュポータル１４および有線ネットワーク３０を介して、無線ＬＡＮコントローラ４０に、無線設定情報（ＳＳＩＤを含む）を要求する。
【００８８】
無線ＬＡＮコントローラ４０は、クローズドメッシュ、メッシュポータル１４および有線ネットワーク３０を介して、無線通信装置２６に、無線設定情報（ＳＳＩＤを含む）を送信する。
【００８９】
無線通信装置２６は、無線設定情報記録部２６ｎに記録された無線設定情報を用いて、メッシュアクセスポイントとして機能する。例えば、無線通信装置２６は、無線通信端末（ＳＴＡ）６０ａ、６０ｂと無線通信を行うことができる。
【００９０】
第三の実施形態によれば、無線通信装置２６をクローズドメッシュによる無線通信を行うメッシュアクセスポイントとして機能させるための設定を簡易に（すなわち、自動的に）行うことができる。
【００９１】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータに、上記の各部分、例えば無線通信装置２６の各部分を実現するプログラムを記録したメディアを読み取らせて、ハードディスクにインストールする。このような方法でも、上記の機能を実現できる。
【符号の説明】
【００９２】
１２、１４  メッシュポータル（ＭＰＰ）
２２ａ、２２ｂ、２２ｃ、２４ａ、２４ｂ  メッシュアクセスポイント（ＭＡＰ）
３０  有線ネットワーク
４０  無線ＬＡＮコントローラ（記録装置）
５２、５３、５４  通信ケーブル
６０ａ、６０ｂ  無線通信端末（ＳＴＡ）
Ｇ１、Ｇ２  グループ
２６  無線通信装置
２６ａ  ＭＡＣアドレス受信部
２６ｂ  ＭＡＣアドレス記録部
２６ｃ  ＩＰアドレス照会部
２６ｄ  ＩＰアドレス受信部
２６ｅ  ＩＰアドレス記録部
２６ｆ  クローズドメッシュ情報要求部
２６ｇ  クローズドメッシュ情報受信部
２６ｈ  クローズドメッシュ情報記録部
２６ｊ  クローズドメッシュ接続要求部
２６ｋ  無線設定情報要求部
２６ｍ  無線設定情報受信部
２６ｎ  無線設定情報記録部
【図１】
2019087914.tif 000003
【図２】
2019087914.tif 000004
【図３】
2019087914.tif 000005
【図４】
2019087914.tif 000006
【図５】
2019087914.tif 000007
【図６】
2019087914.tif 000008
【図７】
2019087914.tif 000009
【図８】
2019087914.tif 000010
【図９】
2019087914.tif 000011
【図１０】
2019087914.tif 000012
【図１１】
2019087914.tif 000013